(57)【要約】【課題】製氷水槽と製氷水槽を旋回させるための旋回装置を容易に着脱できる製氷機の製氷ユニットを提供する。【解決手段】所定量の製氷水を貯留し、製氷機本体に旋回自在に設けられる製氷水槽１１０と、製氷水槽１１０に貯留された製氷水に浸漬されるよう蒸発管１２２に連結される複数の冷却突起１２１と、製氷水槽１１０を旋回させるための旋回装置１４０及び製氷水槽１１０の一側に旋回中心軸に沿って摺動自在に設けられ、旋回駆動軸１４３方向に摺動されることにより旋回駆動軸１４３に選択的に結合される連結部材１５０を含む。【選択図】      図３
2004301488.tif 000002
【特許請求の範囲】
【請求項１】
冷却ユニットに連結された蒸発管を通過する冷媒の熱交換により製氷水を結氷させるよう製氷機本体に設けられる製氷機用製氷ユニットにおいて、
所定量の製氷水を貯留し、前記製氷機本体に旋回自在に設けられる製氷水槽と、
該製氷水槽に貯留された製氷水に浸漬されるよう前記蒸発管に連結される複数の冷却突起と、
前記製氷水槽を旋回させるための旋回駆動軸を有する旋回装置と、
前記製氷水槽の一側に旋回中心軸に沿って摺動自在に設けられ、前記旋回駆動軸方向に摺動されることによって前記旋回駆動軸に選択的に結合される連結部材とを含むことを特徴とする製氷機用製氷ユニット。
【請求項２】
前記連結部材は、前記旋回駆動軸方向に弾性加圧されることを特徴とする請求項１に記載の製氷機用製氷ユニット。
【請求項３】
前記旋回駆動軸の外周面には、突起が突出するよう備えられ、前記連結部材は前記突起が挿入される挿入溝部を有することを特徴とする請求項１に記載の製氷機用製氷ユニット。
【請求項４】
前記製氷水槽の一側の旋回中心軸上には、前記連結部材が挿入されガイドされるガイド部材が設けられることを特徴とする請求項１に記載の製氷機用製氷ユニット。
【請求項５】
前記ガイド部材の内部には前記連結部材を前記旋回中心軸方向に弾性加圧するためのスプリングが設けられることを特徴とする請求項４に記載の製氷機用製氷ユニット。
【請求項６】
前記ガイド部材の一側には前記連結部材の摺動方向にガイド溝が形成され、前記連結部材は前記ガイド溝に沿って摺動される係止部材を備え、該係止部材が前記ガイド溝の端部に係止することによって前記連結部材が前記ガイド部材から離脱することを防止することを特徴とする請求項４に記載の製氷機用製氷ユニット。
【請求項７】
前記連結部材及び前記ガイド部材それぞれの断面は多角形であり、前記連結部材の外側面と前記ガイド部材の内側面は互いに接することを特徴とする請求項４に記載の製氷機用製氷ユニット。
【請求項８】
前記連結部材及び前記ガイド部材はそれぞれの断面が略四角形であることを特徴とする請求項４に記載の製氷機用製氷ユニット。
【請求項９】
製氷水を結氷させ氷を作るために製氷機本体に設けられる製氷機用製氷ユニットにおいて、
前記製氷機本体に旋回自在に結合されるベースフレームと、
所定量の製氷水を貯留し、前記ベースフレームに上下方向に弾持される製氷水槽と、
該製氷水槽に貯留された製氷水に浸漬されるよう設けられる複数の冷却突起と、
該製氷水槽を繰り返して加圧して揺動させるためのカム装置と、
前記ベースフレームを旋回させるための旋回駆動軸を有する旋回装置と、
前記ベースフレームの一側に旋回中心軸に沿って摺動自在に設けられ、前記旋回駆動軸方向に摺動されることにより、前記旋回駆動軸に選択的に結合される連結部材とを含むことを特徴とする製氷機用製氷ユニット。
【発明の詳細な説明】
【０００１】
【発明の属する技術分野】
本発明は製氷機に係り、さらに詳しくは製氷水槽と製氷水槽を旋回させるための旋回装置を容易に着脱できる製氷機の製氷ユニットに関する。
【０００２】
【従来の技術】
一般に、製氷機は製氷水槽内に供給された製氷水を冷却させ所定サイズの氷に作って貯蔵していてから使用者に提供する装置であって、図１及び図２には本出願人により先に出願された製氷機が示されている（特許文献１参照）。
【０００３】
図１及び図２に示されている通り、前記本出願人により先に出願された製氷機は製氷機本体１０に製氷ユニット２０、冷却ユニット３０、氷貯蔵庫１１及び給水管１２が設けられる構成よりなっている。製氷ユニット２０は製氷水が充填される複数の製氷セル２１ａを有する製氷水槽２１と、複数の冷却突起２２を備えその上部に冷却ユニット３０と連結される蒸発管２３が設けられる冷却板２４と、製氷水槽２１を揺動させるためのカム装置２５と、製氷水槽２１を旋回させるための旋回装置２６を含む。
【０００４】
前記製氷機は、給水管１２を通して所定量の製氷水が各製氷セル２１ａに流入され、冷却突起２２はその一部が製氷水に浸漬される。そして、冷却板２４の上部の蒸発管２３内を流れる冷媒の熱交換により冷却された冷却突起２２の周りには製氷水が結氷し始まる。この際、カム装置２５のカム２５ａが回転すれば、カム２５ａはスプリング２７によりベースフレーム２８に弾持されている冷却水槽２１を周期的に揺動させる。冷却突起２２の周りに所定サイズの氷が生成されれば、カム装置２５は駆動を止め旋回モータ２６ａが駆動して、ベースフレーム２８が製氷水槽２１と共に旋回軸２８ａを中心に旋回される。これにより、製氷水槽２１それぞれの製氷セル２１ａに結氷されず残されている水は排水路２１ｂに沿って排水案内板１３に流れ込んだ後、排水箱１４に排出される。
【０００５】
前述した構成を有する製氷機は、製氷水槽２１の整備やスプリング２７の取り替えなどの理由にて製氷水槽２１を製氷機本体１０から分離すべき場合が発生する。しかし、製氷水槽２１が結合されているベースフレーム２８と旋回装置２６が一体に合体されているため、製氷水槽２１を製氷機本体１０から取り外し難く、製氷水槽２１、ベースフレーム２８及び旋回装置２６の組立体を製氷機本体１０に取り付けることも容易ではない。
【０００６】
【特許文献１】
日本特開２００２−２２３２３号公報
【０００７】
【発明が解決しようとする課題】
本発明は前述した問題点を解決するために案出されたもので、その目的は製氷水槽と旋回装置との連結が選択的になされるようにすることで、製氷水槽の着脱作業を容易になされうる製氷機用製氷ユニットを提供するところにある。
【０００８】
【課題を解決するための手段】
前述した目的を達成するための本発明に係る製氷機用製氷ユニットは、所定量の製氷水を貯留し、製氷機本体に旋回可能に設けられる製氷水槽と、該製氷水槽に貯留された製氷水に浸漬されるよう蒸発管に連結される複数の冷却突起と、前記製氷水槽を旋回させるための旋回駆動軸を有する旋回装置、及び前記製氷水槽の一側に旋回中心軸に沿って摺動自在に設けられ、前記旋回駆動軸方向に摺動されることにより前記旋回駆動軸に選択的に結合される連結部材を含むことを特徴とする。
【０００９】
ここで、前記連結部材は前記旋回駆動軸方向に弾性加圧されることが望ましい。
【００１０】
そして、前記旋回駆動軸の外周面には突起が突出されるよう備えられ、前記連結部材は前記突起が挿入される挿入溝部を有することが望ましい。
【００１１】
また、前記製氷水槽の一側の旋回中心軸上には前記連結部材が挿入されガイドされるガイド部材が設けられることが望ましく、前記ガイド部材の内部には前記連結部材を前記旋回中心軸方向に弾性加圧するためのスプリングが設けられることが良い。
【００１２】
そして、前記ガイド部材の一側には前記連結部材の摺動方向にガイド溝が形成され、前記連結部材は前記ガイド溝に沿ってガイドされる係止部材を備え、前記係止部材が前記ガイド溝の一端に係止されることによって前記連結部材が前記ガイド部材から離脱されることが防止される。
【００１３】
また、前記連結部材及び前記ガイド部材それぞれの断面は多角形、望ましくは略四角形であり、前記連結部材の外側面と前記ガイド部材の内側面は互いに接することが良い。
【００１４】
一方、本発明の他の実施例による製氷機用製氷ユニットは、製氷水を結氷させ氷を作るために製氷機本体に設けられる製氷機用製氷ユニットにおいて、前記製氷機本体に旋回自在に結合されるベースフレームと、所定量の製氷水を貯留し、前記ベースフレームに上下方向に弾持される製氷水槽と、該製氷水槽に貯留された製氷水に浸漬されるよう設けられる複数の冷却突起と、前記製氷水槽を繰り返して加圧して揺動させるためのカム装置と、前記ベースフレームを旋回させるための旋回駆動軸を有する旋回装置と、前記ベースフレームの一側に旋回中心軸に沿って摺動自在に設けられ、前記旋回駆動軸方向に摺動されることにより前記旋回駆動軸に選択的に結合される連結部材と、を含むことを特徴とする。
【００１５】
【発明の実施の形態】
以下、添付した図面に基づき本発明の望ましい実施の形態による製氷機用製氷ユニットについて説明する。参考に、本発明を説明するにあたって、従来とその構成及び作用が同一な部分については同一な符号を付して引用する。
【００１６】
図３は本発明の望ましい実施の形態による製氷機用製氷ユニットを概略的に示す分解斜視図であり、図４は図３に示した本発明の望ましい実施例による製氷機用製氷ユニットの作用を説明するための正面図である。
【００１７】
図３に示されている通り、本発明の望ましい実施の形態による製氷機用製氷ユニット１００は、製氷水槽１１０と、冷却板１２０と、ベースフレーム１３０と、旋回装置１４０と、連結部材１５０と、カム装置１６０を含む。
【００１８】
製氷水槽１１０は氷を作るための製氷水を貯留するためのもので、所定サイズの内部空間を有する複数の製氷セル１１１が所定間隔で配置されている構造よりなっている。製氷水槽１１０の一側には製氷完了後に製氷セル１１１に残されている水を排出させるための排水路１１２が備えられる。また、製氷水槽１１０の下部には複数の支持軸１１３と支持軸１１３を包むよう設けられるコイルバネ１１４が備えられる。
【００１９】
冷却板１２０はその下部に製氷セル１１１に対応する複数の冷却突起１２１が備えられ、その上部には製氷機の冷却ユニット３０（図１参照）と連結される蒸発管１２２が備えられる。冷却板１２０は各冷却突起１２１が製氷セル１１１に充填される製氷水に浸漬できるよう製氷水槽１１０の上部に設けられる。冷却板１２０及び冷却突起１２１は蒸発管１２２の内部に流れる冷媒の熱交換により氷点下に冷却され、冷却突起１２１の周りには製氷水が結氷しつつ氷が生成される。
【００２０】
ベースフレーム１３０は製氷水槽１１０を支持するためのもので、ベースフレーム１３０の上部には製氷水槽１１０の支持軸１１３がベースフレーム１３０を貫通して摺動自在に設けられる。ベースフレーム１３０はその一側に備えられた旋回軸１３１により旋回自在に製氷機本体１０に設けられる。また、ベースフレーム１３０の一側旋回軸１３１の延長線にはガイド部材１３２が備えられる。このガイド部材１３２の内部には連結部材１５０が挿入され摺動できる空間が設けられ、ガイド部材１３２の内部には連結部材１５０を弾持するためのスプリング１３３が備えられる。ガイド部材１３２の断面形状は連結部材１５０の形状に対応するよう略四角形を呈しており、ガイド部材１３２の一面にはガイド溝１３２ａが形成される。
【００２１】
旋回装置１４０はベースフレーム１３０及び製氷水槽１１０を旋回させるためのもので、製氷機本体１０（図１参照）に固定される。旋回装置１４０は旋回モータ１４１、減速器１４２及び旋回駆動軸１４３を含んで構成され、旋回駆動軸１４３の端部にはピン１４４が旋回駆動軸１４３の外周面に突出するよう備えられる。ここで、ピン１４４は旋回駆動軸１４３の外周面に突出される多様な形態の突起に置き換えられる。
【００２２】
連結部材１５０は旋回装置１４０とベースフレーム１３０を選択的に連結するためのもので、ガイド部材１３２に摺動自在に設けられる。連結部材１５０はその断面形状が略四角形よりなっており、連結部材１５０の外側面はガイド部材１３２の内側面に接するようになる。また、連結部材１５０の端部には挿入溝１５０ａが形成される。連結部材１５０はガイド部材１３２内に設けられているスプリング１３３により旋回駆動軸１４３方向に弾性加圧力を受け、連結部材１５０の挿入溝１５０ａに旋回駆動軸１４３に備えられたピン１４４が挿入されることにより旋回装置１４０とベースフレーム１３０は機構的に連結された状態になる。旋回モータ１４１が駆動して旋回駆動軸１４３が回転されれば、ベースフレーム１３０は旋回軸１３１を中心に回転される。連結部材１５０の一側面には係止部材１５１がガイド部材１３２のガイド溝１３２ａの外部に突出されるよう備えられる。係止部材１５１は連結部材１５０がガイド部材１３２内に挿入された状態でガイド溝１３２ａを通して連結部材１５０の一側に結合される。この係止部材１５１がガイド溝１３２ａの端部に接することによって、連結部材１５０はガイド部材１３２から離脱されなくなる。
【００２３】
カム装置１６０は製氷水槽１１０を揺動させるためのもので、カムモータ１６１と、カム軸１６２と、一対のカム１６３ａ、１６３ｂを含んで構成される。一対のカム１６３ａ、１６３ｂは製氷水槽１１０の両端部にそれぞれ接して回転しつつ製氷水槽１１０を繰り返して加圧する。このようなカム１６３ａ、１６３ｂによる加圧作用とコイルバネ１１４の弾性復元作用によって製氷水槽１１０は上下方向に揺動する。
【００２４】
以下、図４に基づき本発明に係る製氷機用製氷ユニット１００の作用について説明する。
【００２５】
製氷水槽１１０の各製氷セル１１１（図３参照）に製氷水が供給されれば、冷却板１２０の上部の蒸発管１２２内を流れる冷媒の熱交換により冷却板１２０及び冷却突起１２１は氷点下に冷却される。かつカムモータ１６１が駆動しつつカム軸１６２に設けられている一対のカム１６３ａ、１６３ｂが製氷水槽１１０を繰り返して加圧する。これにより、製氷水槽１１０は上下に揺動し、それぞれの製氷セル１１１内の製氷水に浸漬されている冷却突起１２１の周りには冷却水が結氷し始まる。ここで、製氷セル１１１内の製氷水は冷却突起１２１について相対的に揺動するので、冷却突起１２１の周りには気泡が除かれた透明な氷が生成される。冷却突起１２１に生成された氷が所定サイズになればカムモータ１６１は駆動を止め、旋回モータ１４１が駆動される。この際、ガイド部材１３２の内部に挿入されている連結部材１５０はスプリング１３３（図３参照）により旋回駆動軸１４３の方向に加圧され、その端部の挿入溝１５０ａ（図３参照）にピン１４４が挿入されるよう旋回駆動軸１４３に結合されている状態にある。従って、旋回駆動軸１４３の回転によりベースフレーム１３０は旋回軸１３１を中心に旋回される。これにより、それぞれの製氷セル１１１内に結氷されず残されている水は排水路１１２を通して排出され、冷却突起１２１の周りに生成された氷は氷貯蔵庫１１（図１参照）に落下する。
【００２６】
一方、製氷水槽１１０の整備やコイルバネ１１４（図３参照）の取り替えなどの理由にて製氷水槽１１０を製氷機本体１０から取り外す必要がある場合、旋回駆動軸１４３に結合されている連結部材１５０を矢印Ａ方向に摺動させる。これにより、連結部材１５０が旋回駆動軸１４３から離隔しつつ旋回装置１４０とベースフレーム１３０との連結が解除される。そして、ベースフレーム１３０を製氷機本体１０から取り外すことによって、製氷水槽１１０の分離が容易になされうる。同様に、旋回装置１４０も製氷機本体１０から容易に取り外せる。
【００２７】
一方、製氷機の組立過程では、旋回装置１４０と製氷水槽１１０が結合されているベースフレーム１３０をそれぞれ製氷機本体１０に設けた後連結部材１５０を用いて旋回装置１４０とベースフレーム１３０を連結させうる。従って、製氷水槽１１０、ベースフレーム１３０及び旋回装置１４０の組立作業が容易になされうる。
【００２８】
一方、今までは製氷水槽１１０がベースフレーム（１３０に支持されていることと示しかつ説明したが、ベースフレーム１３０が備えられていない製氷機の場合は連結部材１５０が製氷水槽１１０に直接に摺動可能に連結できる。
【００２９】
【発明の効果】
以上述べた通り、本発明によれば製氷水槽が支持されているベースフレームとベースフレームを旋回させるための旋回装置がベースフレームに摺動自在に設けられている連結部材により選択的に連結されるため、製氷水槽及び旋回装置の着脱が容易になされうる。
【００３０】
以上本発明を本発明の原理を例示するための望ましい実施例について示しかつ説明したが、本発明はそのように示しかつ説明されたそのままの構成及び作用に限定されることではない。かえって、特許請求の範囲の思想及び範疇を逸脱せず本発明に対する多数の変更及び修正が可能であることを当業者はよく理解できろう。従って、そのような全ての適切な変更及び修正と均等物も本発明の範囲に属することと見做されるべきである。
【図面の簡単な説明】
【図１】本出願人により先に出願された製氷機の構成を概略的に示す断面図である。
【図２】本出願人により先に出願された製氷機用製氷ユニットを概略的に示す断面図である。
【図３】本発明の望ましい実施の形態による製氷機用製氷ユニットを概略的に示す分解斜視図である。
【図４】図３に示した本発明の望ましい実施例による製氷機用製氷ユニットの作用を説明するための正面図である。
【符号の説明】
１００    製氷機用製氷ユニット
１１０    製氷水槽
１１１    製氷セル
１１２    排水路
１１３    支持軸
１１４    コイルバネ
１２０    冷却板
１２１    冷却突起
１２２    蒸発管
１３０    ベースフレーム
１３１    旋回軸
１３２    ガイド部材
１３２ａ  ガイド溝
１３３    スプリング
１４０    旋回装置
１４１    旋回モータ
１４２    減速器
１４３    旋回駆動軸
１４４    ピン
１５０    連結部材
１５１    係止部材
１５０ａ  挿入溝
１６０    カム装置
１６１    カムモータ
１６２    カム軸
１６３ａ、１６３ｂ  カム
【図１】
2004301488.tif 000003
【図２】
2004301488.tif 000004
【図３】
2004301488.tif 000005
【図４】
2004301488.tif 000006